(57)【要約】【課題】掃除機本体の内部に付着した塵埃の除去を安価に達成可能な電気掃除機を提供すること。【解決手段】掃除機本体１の内部に、電動送風機４の上流で集塵を行う集塵部５と掃除機本体１の外部の吸込開口２２ａ側とを接続して吸い込んだ塵埃を集塵部５に送る通路である吸塵用配管６と、電動送風機４に通電を行う電気コードを巻き取るコードリール７と、を備えた電気掃除機であって、コードリール７を、吸塵用配管６に振動伝達可能に連結した。【選択図】図１
2008136677.tif 000002
【特許請求の範囲】
【請求項１】
電動送風機を有した掃除機本体と、
前記電動送風機の上流で集塵を行う集塵部と、
吸込口により吸い込んだ塵埃を前記集塵部に送る風路である吸塵用配管と、
リール部を有し、前記電動送風機に通電を行う電気コードを前記リール部を回転させて巻き取るコードリールと、
が設けられている電気掃除機であって、
前記コードリールが、前記吸塵用配管に振動を伝達可能に連結されていることを特徴とする電気掃除機。
【請求項２】
前記吸込口は、
前記掃除機本体の下端部に設けられた吸込口体と、
前記掃除機本体の上部に設けられた吸込風路体接続部に接続した吸込風路体とを備え、
前記吸塵用配管が、前記集塵部から横方向に延びる横方向部と、この横方向部の先端から下方に延びて前記吸込口体に接続される第１分岐管部と、前記横方向部の中間部から上方に伸びて前記吸込風路体接続部に連通される第2分岐管部とを備え、
この第２分岐管部に、前記コードリールが連結されていることを特徴とする請求項１に記載の電気掃除機。
【発明の詳細な説明】
【技術分野】
【０００１】
この発明は、掃除機本体の内部に吸塵用配管が設けられた電気掃除機に関するものである。
【背景技術】
【０００２】
従来、吸塵用配管を内蔵した電気掃除機として、例えば、特許文献１に示されるような、アップライト式の電気掃除機が知られている。
【０００３】
このような電気掃除機では、吸込口体と電動送風機の上流に設けられた集塵部とを結ぶ吸塵用配管が内部に設けられている。
【特許文献１】特開２００５−１８５５８４号公報
【発明の開示】
【発明が解決しようとする課題】
【０００４】
上述のような電気掃除機では、内蔵された吸塵用配管が、使用時に変形するフレキシブルチューブと違って、掃除機本体に常時固定されているため、吸い込んだ塵埃の一部が吸塵用配管の内面に付着した場合に、吸塵用配管内に留まってしまうおそれがあった。
【０００５】
本発明は、上述の従来の問題点に着目してなされたもので、掃除機本体の内部に付着した塵埃の除去を安価に達成可能な電気掃除機を提供することを目的としている。
【課題を解決するための手段】
【０００６】
上述の目的を達成するために、本発明は、電動送風機を有した掃除機本体と、前記電動送風機の上流で集塵を行う集塵部と、吸込口により吸い込んだ塵埃を前記集塵部に送る風路である吸塵用配管と、リール部を有し、前記電動送風機に通電を行う電気コードを前記リール部を回転させて巻き取るコードリールと、が設けられている電気掃除機であって、前記コードリールが、前記吸塵用配管に振動を伝達可能に連結されていることを特徴とする電気掃除機とした。
【０００７】
請求項２に記載の発明では、請求項１に記載の電気掃除機において、前記吸込口は、前記掃除機本体の下端部に設けられた吸込口体と、前記掃除機本体の上部に設けられた吸込風路体接続部に接続した吸込風路体とを備え、前記吸塵用配管が、前記集塵部から横方向に延びる横方向部と、この横方向部の先端から下方に延びて前記吸込口体に接続される第１分岐管部と、前記横方向部の中間部から上方に伸びて前記吸込風路体接続部に連通される第2分岐管部とを備え、この第２分岐管部に、前記コードリールが連結されていることを特徴とする電気掃除機とした。
【発明の効果】
【０００８】
本発明の電気掃除機によれば、コードリールにより電気コードを巻き取る際に、コードリールに生じる振動が吸塵用配管に伝達され、この振動で吸塵用配管に付着した塵埃が落下する。
【０００９】
この落下した塵埃は、その後に、電動送風機を駆動させた際に集塵部で集塵される。
【００１０】
このように、本発明では、掃除機本体に内蔵されたコードリールの振動を利用して、吸塵用配管に付着した塵埃を除去して回収することができる。このため、別途、吸塵用配管に付着した塵埃を除去するための塵落とし手段を追加するものに比べて、安価に上記効果を達成できる。
【００１１】
さらに、請求項２に記載の発明では、コードリールの振動が第２分岐管部に伝達され、この第２分岐管部に付着した塵埃が落下して横方向部で受け止められ、第１分岐配管側に落下するのが防止される。
【００１２】
また、この横方向部で受止められた塵埃は、次回、吸込口体と延長管とのいずれから吸塵を行った場合でも、集塵部で集塵される。
【発明を実施するための最良の形態】
【００１３】
以下、本発明の実施の形態を図面に基づいて説明する。
【００１４】
本実施の形態の電気掃除機は、掃除機本体（１）の内部に、電動送風機（４）の上流で集塵を行う集塵部（５）と掃除機本体（１）の外部の吸込開口（２２ａ）側とを接続して吸い込んだ塵埃を集塵部（５）に送る吸塵用配管（６）と、前記電動送風機（４）に通電を行う電気コード（７４）を巻き取るコードリール（７）と、が設けられている電気掃除機であって、前記コードリール（７）が、前記吸塵用配管（６）に振動伝達可能に連結されている電気掃除機である。
【実施例１】
【００１５】
図１〜図６に基づいて本発明の最良の実施の形態の実施例１の電気掃除機Ａについて説明する。
【００１６】
図２は実施例１の電気掃除機Ａの外観を示す斜視図であって、この図に示すように、実施例１の電気掃除機Ａは、いわゆるアップライト式のもので、掃除機本体１と吸込口としての吸込口体２と吸込口としての延長管３（吸込風路体）とを備えている。
【００１７】
掃除機本体１は、樹脂製のケース１１に覆われており、図示のように上下方向（矢印ＵＰが上方向、矢印ＤＮが下方向を示す）に長く形成されている。また、ケース１１の内部の下端部には、図１に示すように、電動送風機４が設置されており、かつ、電動送風機４の上方には、電動送風機４の送風路の上流側に配置されて、外部から吸引された塵埃を捕集する集塵部５が設けられている。
【００１８】
この集塵部５には、集塵容器５１やクリーンフィルタ５２などが設けられており、集塵容器５１は、図２に示すようにケース１１の一部を形成する蓋部材１１ａを開閉して、掃除機本体１に着脱可能となっている。
【００１９】
吸込口体２は、掃除機本体１の下端部に取り付けられた吸込基端部２１と、この吸込基端部２１に連続して形成され、装置左右方向（矢印Ｌ，Ｒ方向）に拡がり、吸込開口２２ａが開口された吸込先端部２２と、を備えている。
【００２０】
吸込基端部２１は、図２に示すように、左右に一対のローラ２１ａ（一方のみ図示している）が、床面Ｆに沿って転動可能に取り付けられている。
【００２１】
また、図１に示すように、吸込基端部２１は、掃除機本体１から下方に突き出された吸込口管１２に接続されている。
【００２２】
すなわち、吸込基端部２１に、図３に示すように、吸込口管１２の先端部に挿入可能な挿入管２１ｂが上方に突き出されており、この挿入管２１ｂを吸込口管１２に挿入させるとともに、図示を省略した係合手段により係合させて、吸込口管１２の軸心を中心とする回動を規制された状態で取り付けられている。
【００２３】
なお、挿入管２１ｂの基端部は、吸込基端部２１に形成された球面状のジョイント受部２１ｃに支持された球面状のジョイント差込部２１ｄが形成されており、挿入管２１ｂは、吸込基端部２１に対し、ジョイント差込部２１ｄとジョイント受部２１ｃとが、相互に球面部分を擦れ合わせながら相対変位可能なジョイント部２１ｊが構成されている。
【００２４】
さらに、ジョイント差込部２１ｄには、吸込開口２２ａと後述する掃除機本体１内の吸塵用配管６との間を、遮断可能なシャッタ２１ｅが一体に形成されている。
【００２５】
図１に戻り、掃除機本体１の内部には、集塵部５と、吸込口体２および延長管３と、を接続する吸塵用配管６が設けられている。
【００２６】
この吸塵用配管６は、吸込下流側の端部が集塵部５に接続され、内部の吸引流路が、吸込口体２に連通された第１分岐路６１と、延長管３に連通された第２分岐路６２とに分岐されている。
【００２７】
この吸塵用配管６は、図４および図５に示す、円筒状の継手部材６３と第１接続管６４と第２接続管６５とにより形成されている。
【００２８】
継手部材６３は、樹脂の一体成形品であり、集塵部５に接続される開口端６３ａを横に向けて略水平方向に延在された水平管部（横方向部）６３ｂと、この水平管部６３ｂの端部で、下方に略Ｌ字状に折曲されて開口端（図示省略）を下方に向けたＬ字折曲部６３ｃ（第１分岐管部）と、水平管部６３ｂの中間部の開口端６３ａに近い側から上方に立ち上げられた上方分岐部（第２分岐管部）６３ｄと、を備えている。
【００２９】
また、Ｌ字折曲部６３ｃの図示を省略した開口端に、円筒状の第１接続管６４（第１分岐管部）６４が接続され、この第１接続管６４の下端部が、吸込口管１２に接続されている（図１参照）。
【００３０】
また、上方分岐部６３ｄの上方を向いた開口端（図示省略）に、円筒状の第２接続管６５（第２分岐管部）が接続されている。
【００３１】
したがって、実施例１では、第１分岐路６１を形成する部分である第１分岐管部が、Ｌ字折曲部６３ｃの下方を向いた部分と、第１接続管６４とにより形成されており、第２分岐路６２を形成する部分である第２分岐管部が、上方分岐部６３ｄと第２接続管６５とにより形成されている。
【００３２】
第２接続管６５は、その先端が、図１に示すように、掃除機本体１の上端部において、下方に凹んで形成された接続用凹部１３に突出されており、この接続用凹部１３に突出された先端の延長管接続部６５ａに延長管３が接続されている。
【００３３】
延長管３は、フレキシブルチューブ３１と延長管本体３２とを備えている。
【００３４】
この延長管本体３２は、直線状の円筒のストレート管部３２ａと、このストレート管部３２ａの基端に一体に形成された取っ手部３２ｂと、を備えている。
【００３５】
ストレート管部３２ａの先端は、掃除機本体１の上端に開口されて、上下方向に延在された差込穴１４に嵌り合った状態で差込可能に形成されている。
【００３６】
したがって、図示のように、ストレート管部３２ａを差込穴１４に差し込んだ状態で、延長管３が掃除機本体１と一体的に結合された状態となり、使用者が取っ手部３２ｂを持って掃除機本体１を移動させることができるとともに、ジョイント部２１ｊを中心揺動させることができる。
【００３７】
フレキシブルチューブ３１は、送風下流側の端部が、掃除機本体１の接続用凹部１３に突出された第２接続管６５の先端部に嵌め合わされており、送風上流側の端部が、取っ手部３２ｂに結合されている。
【００３８】
また、吸塵用配管６において、第２分岐路６２を形成する部位には、電動送風機４の通電用の電気コード７４を巻き取るコードリール７が取り付けられている。このコードリール７は、図４〜図６に示すように、吸塵用配管６に固定された台座プレート７１と、この台座プレート７１に、巻取軸７２（図１参照）を中心に回動可能に支持された糸巻き状のリール部７３と、を備えている。
【００３９】
そして、リール部７３には、電気コード７４が巻き付けられており、巻取軸７２に設けられた図示を省略したばね式の巻取機構の作動により、リール部７３から引き出した電気コードを自動的に巻き取ることが可能に構成されている。
【００４０】
台座プレート７１には、図６に示すように、２本のボス７１ａ，７１ａが、巻取軸７２と平行な向きに突出して一体に形成されている。
【００４１】
一方、上方分岐部６３ｄおよび第２接続管６５には、板状のフランジ７１ｂ，７１ｂが側方に突出して一体に形成されており、かつ、水平管部６３ｂの上部に板状の受用フランジ６３ｆが上方に向けて立設されている。
【００４２】
そして、台座プレート７１を受用フランジ６３ｆに当接させた状態で、ボス７１ａ，７１ａを、フランジ７１ｂ，７１ｂに、ねじ止めされることで、コードリール７が吸塵用配管６に取り付けられている。
【００４３】
次に、実施例１の作用を説明する。
【００４４】
床面Ｆの掃除を行う場合には、取っ手部３２ｂを持ち、掃除機本体１を、図３に示す直立状態から、図において右側に傾けた傾斜状態で、電動送風機４を駆動させる。
【００４５】
このように掃除機本体１を傾斜させた状態では、挿入管２１ｂが、図３に示す状態から吸込口体２に対して傾き、シャッタ２１ｅが吸込口体２に対して上方に相対移動し、吸込開口２２ａが吸塵用配管６に連通される。
【００４６】
一方、延長管３の先端のストレート管部３２ａは、差込穴１４に差し込まれて嵌合しており、かつ、差込穴１４は底部１４ａで塞がれており、吸入抵抗が大きく吸入不可能状態となっている。
【００４７】
したがって、この状態で、電動送風機４を駆動させると、吸込開口２２ａから床面Ｆの吸塵を行うことができる。そして、吸込開口２２ａから吸引された塵埃は、吸塵用配管６において、第１分岐路６１を通って集塵部５に蓄積される。
【００４８】
次に、コーナ部分や壁や天井などの、吸込開口２２ａから吸引できない箇所の掃除を行う場合には、まず、掃除機本体１を、図１に示す直立状態とする。この直立状態では、吸込口体２に設けられたシャッタ２１ｅが図３に示す閉状態となって、吸込開口２２ａと吸塵用配管６とが遮断される。
【００４９】
一方、延長管３の延長管本体３２を掃除機本体１の差込穴１４から抜き取り、延長管３を吸塵可能な状態とする。
【００５０】
この状態で、電動送風機４を駆動させると、延長管３の延長管本体３２の先端から吸塵することができる。この場合、延長管３から吸入された塵埃は、第２分岐路６２を通り、すなわち、第２接続管６５、上方分岐部６３ｄおよび水平管部６３ｂの一部を通り集塵部５に集塵される。
【００５１】
なお、延長管３の使用時には、用途に応じて、ストレート管部３２ａの先端に、所望のアタッチメントを装着することができる。
【００５２】
次に、この延長管３による吸引を終了すると、図３に示すように、延長管３のストレート管部３２ａを差込穴１４に差し込み、前述したように、取っ手部３２ｂを持って掃除機本体１を移動可能な状態に戻す。
【００５３】
次に、電気掃除機Ａの使用を終了すると、電気コード７４をコードリール７で巻き取る。このとき、コードリール７に生じる振動が、台座プレート７１から、ボス７１ａ，７１ａおよび受用フランジ６３ｆを介して、吸塵用配管６に伝達される。
【００５４】
すなわち、掃除機本体１の内部に設けられた吸塵用配管６は、常時固定であるため、その内部に付着した塵埃が、その途中に残留することがある。
【００５５】
そこで、このようにコードリール７の振動が伝達されることで、吸塵用配管６に残留された塵埃が落下する。
【００５６】
特に、実施例１では、ボス７１ａ，７１ａが、吸塵用配管６において、第２分岐路６２を形成する部分に強固に連結されているため、この第２分岐路６２に残留した塵埃の落下が促進される。
【００５７】
このように第２分岐路６２側から塵埃が落下した場合、水平管部６３ｂで受止められて、第１分岐路６１側にストレートに落下することがない。しかも、仮に、第１分岐路６１側へ落下した場合でも、吸込開口２２ａの手前に、シャッタ２１ｅを設け、掃除機本体１の直立状態では、第１分岐路６１と吸込開口２２ａとの間を遮断しているため、落下した塵埃が、ストレートに吸込開口２２ａから外部に漏れ出るのを防止する。
【００５８】
したがって、このような残留した塵埃が、吸込開口２２ａから外部に漏れ出ることを防止することができる。
【００５９】
そして、水平管部６３ｂにおいて、第２分岐路６２に連通された位置は、第１分岐路６１に連通された位置よりも下流になっているため、この水平管部６３ｂで受止められた塵埃は、その後、電動送風機４を使用した際に、吸込口体２と延長管３のいずれから吸塵した場合であっても、集塵部５に集塵される。
【００６０】
以上説明したように、本実施例１の電気掃除機Ａでは、掃除機本体１に内蔵されたコードリール７の振動を利用して、吸塵用配管６に付着した塵埃を除去して回収することができる。このため、別途、吸塵用配管６に付着した塵埃を除去するための塵落とし手段を追加するものに比べて、安価に上記効果を達成できる。
【００６１】
さらに、実施例１では、先端が第１分岐路６１を形成する第１接続管６４に接続される継手部材６３において、第２分岐路６２を形成する上方分岐部６３ｄを、第１分岐路６１の軸心から離して水平管部６３ｂの途中の位置で上方へ分岐させるようにした。
【００６２】
このため、延長管３からの吸塵停止時に、延長管３側に残っていた塵埃が落下した場合、この塵埃を、水平管部６３ｂの中間で受止め、吸込口体２側へストレートに落下して吸込開口２２ａから外部に漏れ出るのを防止することができる。
【００６３】
しかも、このような塵埃の外部への漏れ出し防止を、単に、継手部材６３において第１分岐路６１と第２分岐路６２とが上下方向に重ならないように形成しただけであるので、塵埃の落下を防止する弁構造などを追加するのに比べて、安価に上記効果を得ることができる。
【００６４】
加えて、実施例１では、上述のように第１分岐路６１と第２分岐路６２との軸心位置を異ならせ、この軸心位置のずれの範囲内の水平管部６３ｂの上方位置にコードリール７を取り付けるようにした。
【００６５】
このため、コードリール７をコンパクトに収容することができる。
【００６６】
しかも、水平管部６３ｂの中間で受止めた延長管３側から落下した塵埃は、次に、吸塵を行った際には、その吸塵が吸込口体２側と延長管３側とのいずれであっても、集塵部５に集塵される。
【００６７】
このため、この塵埃が水平管部６３ｂに長く留まり、掃除機本体１の振動や傾斜などで、第１分岐路６１側に移動して、吸込開口２２ａから外部に漏れ出てしまうことを、より確実に防止できる。
【００６８】
また、実施例１では、上述のように延長管３側から落下する塵埃を受止める水平管部６３ｂを略水平に延在させているため、この水平管部６３ｂが第１分岐路６１に向けて下がり傾斜している場合と比べて、塵埃が、自重や上述のような掃除機本体１の振動や傾斜により第１分岐路６１側に移動して、吸込開口２２ａから外部に漏れ出てしまうことを、いっそう確実に防止できる。
【００６９】
さらに、実施例１では、吸塵用配管６において、第１分岐路６１と第２分岐路６２とを、上下方向で重ならないように配置するのにあたり、一体形成した継手部材６３に、第１接続管６４および第２接続管６５を接続するようにした。
【００７０】
このため、吸塵用配管６の全体を一体成形するのに比べて、製造容易であり、かつ、水平に配置した直管に、それぞれ、各接続管６４，６５を接続するのに比べても、製造容易である。
【００７１】
以上、図面を参照して、本発明の実施の形態および実施例１を詳述してきたが、具体的な構成は、この実施の形態および実施例１に限らず、本発明の要旨を逸脱しない程度の設計的変更は、本発明に含まれる。
【００７２】
例えば、実施例１では、電気掃除機として、アップライト式のものを示したが、内部に吸塵用配管を有している電気掃除機であれば、アップライト式以外の電気掃除機にも適用することができる。
【００７３】
また、実施例１では、吸塵用配管６において、吸込口体２側に分岐された第１分岐路６１と、延長管３側に分岐された第２分岐路６２と、に分岐させたものを示したが、特許文献１に示されているように、吸込口体と集塵部とを結ぶ吸塵用配管が分岐されずに、この吸塵用配管の途中を延長管として使用できるようにしたものにも適用できる。また、吸込口体側と延長管側とに分岐されているものであっても、このような第１分岐路と第２分岐路とが、同軸に配置されているものにも適用することができる。
【００７４】
さらに、実施例１では、第１分岐路６１と第２分岐路６２とを、横方向部としての水平管部６３ｂにおいて、集塵部５に対して、遠い側に第１分岐路６１を配置するとともに、近い側に第２分岐路６２を配置した例を示したが、これとは逆に、集塵部５に近い側に第１分岐路６１を配置する一方で、遠い側に第２分岐路６２を配置するようにしてもよい。
【００７５】
また、実施例１では、コードリール７を吸塵用配管６に連結するのにあたり、コードリール７を吸塵用配管６に取り付けた例を示したが、コードリール７の振動を吸塵用配管６に伝達できる連結であれば、実施例１で示した連結に限定されない。 例えば、実施例１では、コードリール７を吸塵用配管６で支持するようにしたが、コードリール７をケース１１などの吸塵用配管６以外のもので支持し、単に、コードリール７の振動が吸塵用配管６に伝達できるように連結してもよい。
【００７６】
また、この連結にあたっても、実施例１で示したようなボス７１ａ，７１ａによるねじ止めに限定されるものではなく、例えば、係合爪を係合させるようなねじ止め以外の結合手段を用いてもよいし、あるいは、吸塵用配管６に回したベルトを台座プレート７１に結合させるようなボス以外の手段を用いる連結としてもよい。
【００７７】
さらに、実施例１では、コードリール７のリール部７３を図示しないバネ式の巻取機構の作動により自動で回転させたが、これに限るものではなく、コードリール７に振動を発生させるものであれば、モータなどの装置を使って回転させるものや手動で回転させる機構のものを含むものである。
【図面の簡単な説明】
【００７８】
【図１】本発明の実施の形態の実施例１の電気掃除機Ａを示す断面図である。
【図２】本発明の実施の形態の実施例１の電気掃除機Ａの外観を示す斜視図である。
【図３】本発明の実施の形態の実施例１の電気掃除機Ａの下端部を示す拡大断面図である。
【図４】本発明の実施の形態の実施例１の電気掃除機Ａの吸塵用配管６を形成する継手部材６３、第１接続管６４、第２接続管６５を示す斜視図である。
【図５】本発明の実施の形態の実施例１の電気掃除機Ａの吸塵用配管６を形成する継手部材６３、第１接続管６４、第２接続管６５を示す側面図である。
【図６】本発明の実施の形態のコードリール７の取付部分を示す斜視図である。
【符号の説明】
【００７９】
１    掃除機本体
３    延長管
４    電動送風機
５    集塵部
６    吸塵用配管
７    コードリール
２２ａ      吸込口
６３ｂ      水平管部（横方向部）
６３ｃ  Ｌ字折曲部（第１分岐管部）
６３ｄ  上方分岐部（第２分岐管部）
６４  第１接続管（第１分岐管部）
６５  第２接続管（第２分岐管部）
６５ａ      延長管接続部
７４  電気コード
Ａ    電気掃除機
【図１】
2008136677.tif 000003
【図２】
2008136677.tif 000004
【図３】
2008136677.tif 000005
【図４】
2008136677.tif 000006
【図５】
2008136677.tif 000007
【図６】
2008136677.tif 000008